(57)【特許請求の範囲】
【請求項１】
少なくとも二方に開口を備えるケースと、
テープを巻回し且つそのテープを巻き取り付勢するコイルバネが内装された回転ドラムを軸支するテープユニットと、
内部に所望の装置を収納できるカバーと
の３部材を備え、
前記ケースの一方の開口から前記テープユニットを挿入して前記テープを外部から引き出し可能な状態で、かつ、ケースに着脱可能に収納し、
かつ前記ケースの他方の開口に、前記カバーを前記所望の装置とともに着脱自在に係着してなる巻尺
【請求項２】
前記装置が、先端に錘が係着された糸を巻回し且つその糸を巻き取る巻取手段が設けられたリールを軸支する下げ振り装置であり、前記錘が外部引き出し可能な状態で収容されていることを特徴とする請求項1の巻尺
【請求項３】
前記装置が、容器体内の液体上方を移動する気泡の位置によって水平状態を測定する水平測定装置であり、その装置の水平測定部がカバーの外部から目視可能に収容されていることを特徴とする請求項１の巻尺
【請求項４】
前記水平測定装置に、垂直状態を測定するための垂直測定部が付加されており、その垂直測定部がカバーの外部から目視可能に収容されていることを特徴とする請求項３の巻尺
【請求項５】
前記装置が、先端に係着具が設けられた糸を巻回し且つその糸を巻き取る巻取手段が設けられたリールを軸支する落下防止装置であり、前記係着具が外部引き出し可能な状態でカバー内に収容されていることを特徴とする請求項１の巻尺
【発明の詳細な説明】
【０００１】
【産業上の利用分野】
本発明は、自動巻取式の巻尺に関し、特に他の簡易的な測定装置や落下防止装置等を装備可能に構成されている巻尺に関するものである。
【０００２】
【従来技術と問題点】
従来、測定作業においては、その測定に適した装置が用いられるのが普通であり、具体的には、部材の寸法を測定する際には巻尺が用いられ、また、部材の垂直状態を測定する際には下げ振りが、そして、水平状態を測定する際には水平器が適宜用いられているが、これらの巻尺や下げ振りまた水平器は一つの測定装置として個別に形成されているので、特に建築作業においては、巻尺や下げ振りまた水平器が使い分けられて測定作業が進められ、部材が適宜組み立てられて建築作業が進行していくのである。
【０００３】
そして、部材が組み立てられた後、この組み立て状態を簡単に確認する場合もあり、その際、垂直状態を確認する場合は下げ振りが、また、垂直状態および水平状態を確認する場合には水平器が用いられるのであるが、下げ振りや水平器が個別の装置として形成されているので、組み立て状態を確認する際、わざわざその測定器を持ってこなければならず作業効率が悪かった。
【０００４】
このことから、作業する者が常時携帯している巻尺に、特に使用することが多い水平器を組み合せた水平器付きの巻尺が考案され、作業者に重宝がられて作業効率の面で一応の成果は上げていた。しかし、その水平器を使用する場合は巻尺ケースごと使用しなければならず、従って、巻尺ケースの入らない狭い場所での使用ができない欠点があることから、今日ではその水平器付き巻尺を使用する者はいなくなった。
【０００５】
しかして、上述する組み立て状態を確認する場合、巻尺にその確認に必要とする測定装置が付加されていることは、作業をする者にとっては少なからず便利であり、また、作業効率の向上に寄与することは誰もが見とめる事実であり、その欠点の解決が望まれていた。
そして、本出願人は、自己の発明した巻尺を利用することで上述した欠点が解決できることを見出した。
【０００６】
【目的】
本発明は上述した問題点に鑑みてなされたもので、巻尺のケースに付加した所定の装置を必要に応じてそのケースから取り外して使用することができる巻尺を提供することを目的とするものである。
【０００７】
【問題を解決するための手段】
本発明の要旨とするところは、少なくとも二方に開口を備えるケースと、テープを巻回し且つそのテープを巻き取り付勢するコイルバネが内装された回転ドラムを軸支するテープユニットと、内部に所望の装置を収納できるカバーとの３部材を備え、前記ケースの一方の開口から前記テープユニットを挿入して前記テープを外部から引き出し可能な状態で、しかもケースに着脱可能に収納し、かつ前記ケースの他方の開口に、着脱自在に係着してなる巻尺である。
【０００８】
本発明の巻尺を詳しく説明すると、ケースとは、後述のテープユニットおよび後述のカバーの一部または全部を収容し、テープユニットは固定的にまたカバーは着脱可能に係着される。また、カバーの着脱を可能にするための構造は、ケースまたカバーの片方または両方に設けてもよく、その方法や構造等も特に限定するものではない。
【０００９】
ケースは、アルミまたステンレスさらにはチタン等の金属素材を折り曲げやプレスまたダイキャストや押出し等の方法により少なくともニ方に開口を設けて形成するのがよい。すなわち、ケースの対向する方向の両端の部分に開口を設けている所謂筒状、あるいは、ケースの対向する方向の両端の部分とさらにもう一方の端の部分に開口を設けている所謂コ字状の形状である。勿論、上述の金属素材に限ることはなく、他の適当な金属素材または塩化ビニールやポリカーボネート等の適当な樹脂素材を用いてもよい。
【００１０】
その開口を設ける部位としては、二方の場合ではテープユニットおよびカバーのケースへの挿入および係着ができればどこでもよいが、具体的には、ケースの前方および後方の端、あるいは、上方および下方の端がよい。また、上述のようなケースとテープユニットおよびカバーとの関係が成立可能であれば開口を設ける部位をケースの右側方および左側方の端でもよい。
そして、三方の場合ではテープユニットおよび単数また複数のカバーのケースへの係合および係着ができればどこでもよいが、具体的には、ケースの前方および後方および上方または下方の端、あるいは、上方および下方および前方または後方の端がよい。
【００１１】
その具体的に示された部位で、ケースの前方とはテープの出入口が設けられている部分の方向であり、上方とはその前方部分に連続して設けられている天井方向の部分であり、後方とはその上方の部分に連続して設けられている前方部分に対向する部分である所謂巻尺の後部であり、下方とはその後方部分に連続して設けられている上方部分に対向する部分である所謂巻尺の底部である。
【００１２】
そのケースの形状も、側面視で円形・四角形・多角形・それらを組合せた形状、また、立体的には立方体・略球体等で特に限定するものではなく、巻尺の取扱性や携帯性さらにはデザイン性等を考慮して適宜所望の形体に形成すればよい。そして、ケースに設ける開口においては、テープユニットおよびカバーが挿入または係合できればよく、全面を開口としたりまた開口の周縁からその開口を閉じる方向に適当な張出しを設けた形態の開口としてもよい。
その開口の大きさや形状等も、それぞれを同じにすることなく所望の大きさまた形状のものとすればよい。
【００１３】
テープユニットは、内部にテープの巻き取り用のコイルバネを収容すると共にテープを巻胴部に巻回する回転ドラムと、この回転ドラムを支持する軸と、ケースと係着するための係着部から構成されているものである。
そのテープユニットは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、テープユニットを適当な金属素材を用いて形成してもよい。
【００１４】
そして、テープユニットの軸、また、ケースと係着する係着部を含む周辺部分は、樹脂素材または金属素材で一体成型によって形成するのがよい。
また、そのケースと係着する係着部の構造また形状等も特に限定するものではなく係着できればよい。別部材の係着手段を取付けて係着部としてもよい。
テープユニットは、二方に開口が設けられているケースではそのケースの一方の開口から挿入される。また、三方に開口が設けられているケースではそのケースの一方の開口に、または、二方の開口に係合（二方の開口に1個のテープユニットを係合すること）される。
【００１５】
前記テープは外部引き出し可能な状態でケース内に収納される。
そして、ケースとテープユニットとカバーとが一体化されて巻尺が完成したとき、テープの引き出し方向も特に限定されるものではなく、テープをケースのテープユニットが挿入される開口とほぼ直角の方向に引き出せるように、また、開口とほぼ平行する方向に引き出せるようにテープユニットを構成してもよい。
また、テープユニットにテープを任意の位置で停止させるためのブレーキ機構を設けてもよい。その場合、ブレーキ機構の操作レバーまた操作ボタン等のブレーキ操作手段は外部から操作可能に突出させて設けるのがよく、その操作手段の形状や設置部位等も特に限定するものではなく好適な部位に設ければよい。
【００１６】
そのブレーキ機構またブレーキ操作形態は、引き出したテープを停止させておくことができればよく特にそれらを限定するものではない。具体的には、引き出したテープが停止操作することなく停止していて、操作レバーや操作ボタン等のブレーキ操作手段を操作することによってブレーキが解除できるようにしたり、また、そのブレーキ操作手段を操作しているときだけテープが停止できるようにすればよい。そして、後者の場合においては、ブレーキ操作手段から指を離していてもテープが停止可能なように停止ロックができるようにしてもよい。
【００１７】
カバーは、ケースと着脱可能に係着するための係着部を有しており、その着脱を可能にする構造は、ケースの説明で述べたようにケースまたカバーの片方または両方に設けてもよく、その方法や構造等も特に限定するものではない。
また、カバーに巻尺を携帯する際のストラップを取付けることができるようにしてもよい。
そのカバーは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、カバーを適当な金属素材を用いて形成してもよい。
【００１８】
カバーのケースと着脱可能に係着する係着部を含む周辺部分は、樹脂素材または金属素材で一体成型によって形成するのがよい。また、別部材の着脱可能な係着手段を取付けてよい。
そのカバーは、二方に開口が設けられているケースではそのケースの一方の開口から挿入されてケースと係着する。また、三方に開口が設けられているケースでは単数または複数のカバーがそのケースの一方または二方の開口に係合されてケースと係着する。すなわち、カバーは二方の開口のそれぞれに1個づつ係合させたり、二方の開口に１個のカバーを係合させてもよい。
【００１９】
そして、前述するケースとテープユニットとの係着とは、ケースとテープユニットの所定の部位がケース内またはケース外で何らかの係わりを以って取り付き固定されることである。例えば、カバーに形成された爪が、テープユニットに形成された爪の受け部に嵌ってテープユニットとカバーとが固定されるようにしてもよい。勿論、その逆でもよい。また、単純に固定ネジで取り付けてもよい。
また、ケースとカバーとの着脱可能な取り付けにおいても、ケースとカバーの所定の部位がケース内またはケース外で何らかの係わりを以って取り付き固定されると共に、その係りを以って取り付けられた部位が手または工具によって係りを解除できるようになっているものである。
【００２０】
さらに、係合とは、テープユニットまたカバーがケースと何らかの係わりを以って所定の部位で接触することである。例えば、ケース内壁に設けられた突起や突状や窪みまたケース自体にテープユニットまたはカバーの所定の部位が当接また嵌合することである。
その係合の部位によっては、テープユニットまたはカバーはケースのそれぞれの開口内に位置したり、また、一部を外部に臨ませて位置するようになる。
そして、ケースのテープユニットまたはカバーとの具体的な係合部位としては開口の周縁部分が望ましい。
【００２１】
また、その開口をテープユニットおよびカバーで閉塞するようにしてもよい。あるいは、所望の開口のみ閉塞してもよい。
また、テープユニットおよびカバーの適所に壁を形成して、そのテープユニットおよびカバーがケースの開口の蓋となるようにしてもよい。あるいは、所望の開口だけに蓋となるようにしてもよい。
【００２２】
そして、本発明の巻尺においては、前述のカバー内に下げ振り装置が設けられており、その下げ振り装置は、少なくとも先端に錘が係着された糸を巻回し且つその糸を巻き取る巻取手段が設けられたリールを軸支し、且つ、前記錘を外部引き出し可能な状態でカバー内に収容されている。
錘は糸との着脱を可能にしてもよく、また、錘と巻き取り力の釣り合いを調節する調節ピンを設けてもよい。
さらに、下げ振り装置を被測定物に固定するための木材固定用の針、金属固定用のマグネット、そして、釘引掛用の取付アーム等を設けてもよい。
【００２３】
そして、リールはカバー内の上方に位置させるのがよく、カバーの内壁に立設または架設した軸に軸支させればよい。
錘は、一方が鋭角に形成され、また、他方に糸と接続するための接続環等の部材が設けられている金属また樹脂等の素材からなるものであり、その錘と糸との接続は、糸を接続環等に直接結んで接続したり、また、糸の先端に係着具を取り付けそれを接続環に係着して接続される。そして、糸も錘を保持可能であればどのような素材からなるものでもよい。
【００２４】
糸を巻き取る巻取手段は、糸の巻取りが可能なものであればその方法や構造等も何でもよいが、例えば、バネの付勢力によって巻き取るように構成したものでもよい。この方法のものを使用した場合は、糸を巻回する巻胴部の内部に巻き取り用のコイルバネを収容してもよいが、糸の巻回部分とコイルバネの収容部分を軸方向に並設するものでもよい。
【００２５】
錘は外部引き出し可能な状態でカバー内に収容されるが、その外部引き出し可能な状態とは、カバー内の錘を指や手で引き出せたり、また、何らかのレバーやボタン等の部材、あるいは、リールを直接指や手で操作することにより錘の一部または全部がカバー内から出せるようになっている状態である。
また、係着部材のケース内部に対向する部位は、開口のままとしたり、適当な蓋体を設けるようにしてもよい。そして、錘の出入口にも開閉可能な蓋体を設けてもよい。
【００２６】
また、カバー内に水平測定装置を設けてもよく、この水平測定装置は、容器体内の液体上方を移動する気泡の位置によって水平状態を測定することができるもので、その装置の水平測定部がカバーの外部から目視可能に収容されている。また、垂直状態を測定するための垂直測定部を付加してもよい。
【００２７】
そして、水平測定装置としての水平の基準となる面または辺は、カバーのケース内部に対向する部位がよい。この部位は普通開口のままでもよい部位であるが、この開口の一部または全部を蓋等によって閉じ、その蓋の面を水平の基準としたり、また、開口の周囲の縁となる四辺の部分を水平の基準としてもよい。
上記の部位を水平の記準とするならば、前記容器体すなわち測定部はこの部位を基準としてカバーに適宜設置すればよい。
【００２８】
その設置においても、測定部がカバーの外部から目視可能に収容されていればよい。例えば、測定部をカバーのケース面に面一に設置したりすればよい。勿論、測定部がカバーの外部から目視可能であれば特にその設置の形態を限定するものではない。そして、前述の垂直測定部を付加した場合も、その垂直測定部の基準となる部位は水平測定部の機準となる部位と同じ部位にする。
【００２９】
また、カバー内に巻尺の落下を防止する落下防止装置を設けてもよく、この落下防止装置は、先端に係着具が設けられている糸を巻回し且つその糸を巻き取る巻取手段が設けられたリールを軸支し、且つ、前記係着具を外部引き出し可能な状態でカバー内に収容している。
そして、リールはカバー内の上方に位置させるのがよく、カバーの内壁に立設または架設した軸に軸支させればよい。
【００３０】
係着具は、作業者のスボンのベルト通しやベルト等に係着できるようになっているものであれば何でもよく、例えば、一部が開閉可能に構成された環状体からなるものであったり、また、環状形態に接続可能なベルト体であってもよい。
その素材も特に限定するものではなく金属や樹脂等を用いればよい。
そして、糸は、巻尺の落下時の重さを十分支持できる強度を持った素材また太さのものでなくてはならない。勿論、ワイヤーロープでもよい。
【００３１】
糸を巻き取る巻取手段は、糸の巻取りが可能なものであればその方法や構造等も何でもよいが、例えば、バネの付勢力によって巻き取れるように構成したものでもよい。この方法のものを使用した場合は、糸を巻回する巻胴部の内部に巻き取り用のコイルバネを収容してもよいが、糸の巻回部分とコイルバネの収容部分を軸方向に並設した形態にしてもよい。
【００３２】
係着具は外部引き出し可能な状態でカバー内に収容されるが、その外部引き出し可能な状態とは、カバー内の係着具を指や手で引き出せたり、また、何らかのレバーやボタン等の部材、あるいは、リールを直接指や手で操作することにより係着具の一部または全部がカバー内から出せるようになっている状態である。
また、カバーのケース内部に対向する部位は、開口のままとしたり、適当な蓋体を設けるようにしてもよい。そして、係着具の出入口にも開閉可能な蓋体を設けてもよい。
【００３３】
【作用】
本発明の巻尺は以上のように構成されているので、ケースは、二方に開口を設けた筒状または三方に開口を設けたコ字状に、一体成型により形成されケースアッセンブリとなる。
テープユニットは、軸および係着部とその周辺部分が一体成型により形成されて、その軸に周囲にテープを巻回し且つそのテープを巻き取り付勢するコイルバネが内装された回転ドラムが軸支されてテープユニットアッセンブリとなる。
【００３４】
カバーは、係着部とその周辺部分が一体成型により形成されると共に、カバーの内部に所定の装置が設置されてカバーアッセンブリとなる。
そして、ケースアッセンブリに有するそれぞれの開口からテープユニットアッセンブリおよびカバーアッセンブリが挿入されて、ケースアッセンブリとテープユニットアッセンブリが係着され、また、ケースアッセンブリとカバーアッセンブリとが係着されて巻尺が完成する。
【００３５】
その巻尺を用いることにより、例えば、巻尺のカバーアッセンブリに下げ振り装置が設けられているものである時、所定の部材が組み立てられた後この組み立てた部材の垂直状態を確認しようとする場合、巻尺のカバーアッセンブリをその巻尺から取り外し、カバーアッセンブリを組み立てた部材の所定の部位に取り付け、カバーアッセンブリ内から錘を引き出して組み立てた部材の垂直状態を確認することができる。
【００３６】
また、カバーアッセンブリに水平測定装置が設けられていれば、巻尺のカバーアッセンブリをその巻尺から取り外し、カバーアッセンブリを組み立てた部材の所定の部位に置き、組み立てた部材の水平状態を確認することができる。また、垂直測定部が設けられていれば、組み立てた部材の垂直状態をも確認することができる。
そして、カバーアッセンブリに落下防止装置が設けられていれば、巻尺に取り付けられている状態のままカバーアッセンブリ内から係着具を引き出して自分のベルトにその係着具を掛けることによって巻尺の落下を阻止することができる。
【００３７】
さらに、カバーアッセンブリにブレーキ装置が設けられていれば、巻尺に取り付けられている状態のままそのブレーキ装置の操作部を操作することにより、巻尺から引き出したテープを任意の位置で停止させることができる。
そして、本巻尺は、カバーアッセンブリの交換によって目的に合った装置を巻尺に装備することができる。
さらには、ケースが三方の開口を有し、且つ、ケースに複数のカバーが係着されている形態の巻尺では、複数の装置を巻尺に装備することができる。
【００３８】
【実施例】
本発明の巻尺を以下図面に従って説明すると、図１は、本発明に係わる巻尺の分解側面図であり、１は巻尺、２は前方および後方の端に開口を有する筒状のケースで、一方に開口２１をもう一方に開口２２を有する。２３はケース２とテープユニット３の軸３２を固定するための固定ネジ５を通すネジ通孔である。２５はテープユニット３の係合凹３１と係着する係合ツメ、２６はカバー４のガイド溝４３と係合するガイド突起である。
【００３９】
３はテープユニットで、３１はケース２の係合ツメ２５と係着する係合凹、３２は回転ドラム３３を支持する軸である。３４はテープで、先端に係止片３５が設けられ、また、テープ３４は回転ドラム３３の周囲の巻胴に巻回されて、回転ドラム３３に内装するコイルバネ３６で巻取り方向に付勢される。３７は突条で、テープユニット３をケース２に挿入するときのガイドとなり、また、その突条３７の高さの選定により脱落防止や強度向上ができる。３８はテープ３４のテープ出入口である。
【００４０】
４はカバー、４１は突条で、カバー４をケース２に挿入するときのガイドとなり、また、その突条４２の高さの選定により脱落防止や強度向上ができる。４２はケース２と着脱する時の着脱ボタンで、ケース２のガイド突起２６との係着を解除するものである。４３はケース２のガイド突起２６と係合するガイド溝、４４は巻尺１を携帯する際に使用されるストラップである。
【００４１】
図２は、巻尺の一部切欠き側面図であり、テープユニット３はケース２の開口２１から挿入されて、テープユニット３の係合凹３１とケース２の係合ツメ２５とが係着し、また、カバー４はケース２の開口２２から挿入されて、カバー４の着脱ボタン４４とケース２のガイド突起２６の一方とが係着して巻尺１が完成する。図で示していないが、テープユニット３とカバー４を係着可能に構成し、その係着によってケース２が挟持されて巻尺が構成されるようにしてもよく、この場合は、テープユニット３とカバー４を着脱可能にする。
【００４２】
５はテープユニット３の軸３２に螺刻された雌ネジ（図示せず）と螺合してケース２とテープユニット３とを固定している固定ネジである。
図３は、カバー内の下げ振り装置を示す透視側面図であり、４がカバー、６が下げ振り装置である。
６１はカバー４の内壁に立設された軸、６２は軸６１に軸支されたリール、６３は糸６５を巻回しているリール６２の巻胴、６４は糸６５を巻き取るためのリール６２内に設けられているコイルバネで、そのコイルバネ６４は外端を巻胴６３に接続され、また、内端を軸６１に接続されている。６５は糸、６６は錘、６７は糸６５に接続される接続環、６８は糸ガイド、６９は錘６６との釣り合いを調節するための糸掛けである。
【００４３】
７０はカバー４すなわち下げ振り装置６を木材等に固定するための針、７１は針７０の打ち込みボタン、７２は復帰バネである。７３は下げ振り装置６を釘等に引掛けるための取付アーム、７４は下げ振り装置６を金属材に固定するためのマグネットである。
図４は、カバー内の水平測定装置を示す透視側面図であり、４がカバー、８が水平測定装置である。
【００４４】
８１は水平測定部の本体で、その内部に液体８２が入っている。そして、水平測定は本体８１の気泡８３の位置により行われる。
８４は垂直測定部の本体で、その内部に液体８５が入っている。そして、垂直測定は本体８４の気泡８６の位置により行われる。
８７は測定する際の基準部位となる。
【００４５】
図５は、カバー内の落下防止装置を示す透視側面図であり、４がカバー、９が落下防止装置である。
９１はカバー４の内壁に立設された軸、９２は軸９１に軸支されたリール、９３は糸９５を巻回しているリール９２の巻胴、９４は糸９５を巻き取るためのリール９２内に設けられているコイルバネで、そのコイルバネ９４は外端を巻胴９３に接続され、また、内端を軸９１に接続されている。９５は糸、９６は作業者のベルト等に係着するための係着具、９７は係着具９６の開閉部、９８は糸９５に接続される接続環、９９は糸ガイドである。
【００４６】
図６は、巻尺の前面図であり、本図はテープユニット３にテープ３４を停止させるためのブレーキ機構（図示せず）を設けたものを示しており、３９はそのブレーキ操作用のブレーキレバーを示すものである。図７は、巻尺の後面図であり、４４はストラップである。
図８は、ケースの前面斜視図であり、開口２１からテープユニット３が挿入される。図９は、ケースの後面斜視図であり、開口２２からカバー４が挿入される。
【００４７】
図１０は、本発明に係わる巻尺の他の形態の分解側面図であり、
本図の巻尺１ａのケース２ａは、前方および後方および上方の端に開口を有するコ字状のものである。
１ａは巻尺、２ａは前方および後方および上方の端に開口を有するコ字状のケースで、前方に開口２１を後方に開口２２を上方に開口２４を有する。２３はケース２ａとテープユニット３ａの軸３２を固定するための固定ネジ５を通すネジ通孔である。２５はテープユニット３ａの係合凹３１と係着する係合ツメ、２６はカバー４ａのガイド溝４３と係合するガイド突起である。
【００４８】
３ａはテープユニットで、３１はケース２ａの係合ツメ２５と係着する係合凹、３２は回転ドラム３３を支持する軸である。３４はテープで、先端に係止片３５が設けられ、また、テープ３４は回転ドラム３３の周囲の巻胴に巻回されて、回転ドラム３３に内装するコイルバネ３６で巻取り方向に付勢される。３７は突条で、テープユニット３ａをケース２ａに挿入するときのガイドとなり、また、その突条３７の高さの選定により脱落防止や強度向上ができる。３８はテープ３４のテープ出入口である。
【００４９】
４ａはカバー、４１は突条で、カバー４ａをケース２ａに挿入するときのガイドとなり、また、その突条４１の高さの選定により脱落防止や強度向上ができる。４２はケース２ａと着脱する時の着脱ボタンで、ケース２ａのガイド突起２６との係着を解除するものである。４３はケース２ａのガイド突起２６と係合するガイド溝、４４は巻尺１を携帯する際に使用されるストラップである。
そして、本図では図示していないが、テープユニット３ａおよびカバー４ａの突条３７／４１の付根部分に所定の深さの溝を形成し、その溝にケース２ａの開口２１／２２／２４の周縁の一部または全部を嵌めることで、テープユニット３ａおよびカバー４ａはケース２ａから外れ難くなる。
【００５０】
図１１は、図１０の巻尺の一部切欠き側面図であり、テープユニット３ａはケース２ａの開口２１と開口２４の一部から挿入されて、テープユニット３ａの係合凹３１とケース２ａの係合ツメ２５とが係着し、また、カバー４ａはケース２ａの開口２２と開口２４の一部から挿入されて、カバー４ａの着脱ボタン４４とケース２のガイド突起２６の一方とが係着して巻尺１ａが完成する。図で示していないが、テープユニット３ａとカバー４ａを係着可能に構成し、その係着によってケース２ａが挟持されて巻尺が構成されるようにしてもよく、この場合は、テープユニット３ａとカバー４ａを着脱可能にする。
【００５１】
５はテープユニット３ａの軸３２に螺刻された雌ネジ（図示せず）と螺合してケース２ａとテープユニット３ａとを固定している固定ネジである。
図１２は、図１０のケースの前面斜視図であり、開口２１と開口２４の一部からテープユニット３ａが挿入される。図１３は、図１０のケースの後面斜視図であり、開口２２と開口２４の一部からカバー４ａが挿入される。
【００５２】
【効果】
本発明の巻尺は以上のように構成されているので、部材の組み立て状態を確認する際、その確認に用いる装置を収容するカバーを巻尺の本体から取り外すことができるので、従来のように、本体が入る場所でしか使用できないものと違いカバーが入る場所であればどこでも使用でき、機動性に優れるものである。
従って、わざわざ確認作業に使用する装置を取りに行く手間もなく、また、部材の組み立ての際から組み立て後に使用する装置を持歩くこともないので、作業中の移動も楽で、なにより、作業効率が向上する。そして、カバーの交換によって必要とする装置を巻尺と共に携帯することができる。
【図面の簡単な説明】
【図１】  本発明に係わる巻尺の分解側面図
【図２】  巻尺の一部切欠き側面図
【図３】  カバー内の下げ振り装置を示す透視側面図
【図４】  カバー内の水平測定装置を示す透視側面図
【図５】  カバー内の落下防止装置を示す透視側面図
【図６】  巻尺の前面図
【図７】  巻尺の後面図
【図８】  ケースの前面斜視図
【図９】  ケースの後面斜視図
【図１０】  本発明に係わる巻尺の他の形態の分解側面図
【図１１】  図１０の巻尺の一部切欠き側面図
【図１２】  図１０のケースの前面斜視図
【図１３】  図１０のケースの後面斜視図
【符号の説明】
１−巻尺，１ａ−巻尺，２−ケース，２ａ−ケース，２１−開口，２２−開口，２３−ネジ通孔，２４−開口，２５−係合ツメ，２６−ガイド突起，３−テープユニット，３ａ−テープユニット，３１−係合凹，３２−軸，３３−回転ドラム，３４−テープ，３５−係止片，３６−コイルバネ，３７−突条，３８−テープ出入口，３９−ブレーキレバー，４−カバー，４ａ−カバー，４１−突条，４２−着脱ボタン，４３−ガイド溝，４４−ストラップ，５−固定ネジ，６−下げ振り装置，６１−軸，６２−リール，６３−巻胴，６４−コイルバネ，６５−糸，６６−錘，６７−接続環，６８−糸ガイド，６９−糸掛け，７０−針，７１−打ち込みボタン，７２−復帰バネ，７３−取付アーム，７４−マグネット，８−水平測定装置，８１−本体，８２−液体，８３−気泡，８４−本体，８５−液体，８６−気泡，８７−基準部位，９−落下防止装置，９１−軸，９２−リール，９３−巻胴，９４−コイルバネ，９５−糸，９６−係着具，９７−開閉部，９８−接続環，９９−糸ガイド
【図１】
0004034068.tif 000002
【図２】
0004034068.tif 000003
【図３】
0004034068.tif 000004
【図４】
0004034068.tif 000005
【図５】
0004034068.tif 000006
【図６】
0004034068.tif 000007
【図７】
0004034068.tif 000008
【図８】
0004034068.tif 000009
【図９】
0004034068.tif 000010
【図１０】
0004034068.tif 000011
【図１１】
0004034068.tif 000012
【図１２】
0004034068.tif 000013
【図１３】
0004034068.tif 000014